(57)【要約】【課題】組み立てやすく、安価に製造することができる綴じ具を提供する。【解決手段】綴じ具２０は、断面略コ字状の本体２２を含む。本体２２の側板２６ａ、２６ｂの両先端部には、リング部材用ヒンジ部２８ａ、２８ｂを介して、リング部材３０ａ、３０ｂが回動可能に接続される。本体２２の底板２４の長手方向における両端部には、操作部材用ヒンジ部５０ａ、５０ｂを介して、操作部材５２ａ、５２ｂが回動可能に接続される。綴じ具２０の本体２２、リング部材３０ａ、３０ｂおよび操作部材５２ａ、５２ｂは、リング部材用ヒンジ部２８ａ、２８ｂおよび操作部材用ヒンジ部５０ａ、５０ｂとともに、合成樹脂で一体的に成形して形成される。【選択図】図１０
2006289866.tif 000002
【特許請求の範囲】
【請求項１】
相対的に回動する部分が薄肉状のヒンジ部を介して互いに接続され、全体が合成樹脂で一体的に成形して形成された、綴じ具。
【請求項２】
本体、
リング部を有し、前記本体に対して回動可能に設けられ、前記本体に対して回動させることによって前記リング部が開閉するリング部材、および
前記本体に対して回動可能に設けられ、前記本体に対して一方向に回動させることによって前記リング部材を回動して前記リング部を開き、前記本体に対して前記一方向とは逆方向に回動させることによって前記リング部を閉じた状態で前記リング部材をロックする操作部材を含む綴じ具であって、
前記リング部材は薄肉状のヒンジ部を介して前記本体に回動可能に接続され、
前記操作部材は薄肉状の他のヒンジ部を介して前記本体に回動可能に接続され、
前記本体、前記リング部材および前記操作部材は、前記ヒンジ部および前記他のヒンジ部とともに、合成樹脂で一体的に成形して形成された、綴じ具。
【請求項３】
前記本体は、実質的に断面コ字状に形成され、
前記リング部材は、それぞれの幅方向における一端部が前記本体の実質的に断面コ字状の両先端部に前記ヒンジ部を介して接続され、それぞれの幅方向における他端部がつき合わされる一対のリング保持部を含み、
前記一対のリング保持部の幅方向における寸法は、前記本体の前記両先端部間の寸法より長く形成された、請求項２に記載の綴じ具。
【発明の詳細な説明】
【技術分野】
【０００１】
この発明は綴じ具に関し、特にたとえばリングファイルなどに用いられる綴じ具に関する。
【背景技術】
【０００２】
この発明の背景となる従来の綴じ具には、ベース、スライド部材および１組のリング部材などが組み合わされ、スライド部材をスライドすることによって、リング部材のリング部を開閉することができるものがあった（例えば特許文献１参照）。
【０００３】
【特許文献１】特開２００１−１０２７３号公報
【発明の開示】
【発明が解決しようとする課題】
【０００４】
上述のような綴じ具において、たとえば軽量化のために全体を合成樹脂で形成する場合があるが、この場合、そのような綴じ具は、別々に成形された複数の部品を組み合わせることによって製造される構造なので、その組み立て作業が煩雑であり、製造に高価なコストがかかってしまう。
【０００５】
それゆえに、この発明の主たる目的は、組み立てやすく、安価に製造することができる綴じ具を提供することである。
【課題を解決するための手段】
【０００６】
この発明にかかる綴じ具は、相対的に回動する部分が薄肉状のヒンジ部を介して互いに接続され、全体が合成樹脂で一体的に成形して形成された、綴じ具である。
また、この発明にかかる綴じ具は、本体と、リング部を有し、本体に対して回動可能に設けられ、本体に対して回動させることによってリング部が開閉するリング部材と、本体に対して回動可能に設けられ、本体に対して一方向に回動させることによってリング部材を回動してリング部を開き、本体に対して一方向とは逆方向に回動させることによってリング部を閉じた状態でリング部材をロックする操作部材とを含む綴じ具であって、リング部材は薄肉状のヒンジ部を介して本体に回動可能に接続され、操作部材は薄肉状の他のヒンジ部を介して本体に回動可能に接続され、本体、リング部材および操作部材は、ヒンジ部および他のヒンジ部とともに、合成樹脂で一体的に成形して形成された、綴じ具である。
この発明にかかる綴じ具では、たとえば本体やリング部材などの全体が合成樹脂で一体的に成形して形成されるため、成形部品の数が少なく、成形後に組み立てやすく、製造コストが安価になる。
この発明にかかる綴じ具では、本体は、実質的に断面コ字状に形成され、リング部材は、それぞれの幅方向における一端部が本体の実質的に断面コ字状の両先端部にヒンジ部を介して接続され、それぞれの幅方向における他端部がつき合わされる一対のリング保持部を含み、一対のリング保持部の幅方向における寸法は、本体の両先端部間の寸法より長く形成されることが好ましい。このようにすれば、本体の両先端部間の間隔を一対のリング保持部で広げると元に戻ろうとする弾性力が働き、この弾性力を利用することができるので、たとえば板ばねやコイルばねなどの他の部品が不要であり、この点においても、組み立てやすく、製造コストが安価になる。なお、本願において、実質的に断面コ字状とは、断面コ字状とともに断面略コ字状を含む。
【発明の効果】
【０００７】
この発明によれば、組み立てやすく、安価に製造することができる綴じ具が得られる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１はこの発明が適用されるリングファイルの一例を示す斜視図であり、図２、図３、図４、図５および図６は、そのリングファイルに用いられる綴じ具のリング部を閉じた状態を示す斜視図、部分底面図解図、部分正面図解図、部分側面図解図および部分平面図解図であり、図７、図８および図９は、その綴じ具のリング部を開いた状態を示す斜視図、部分正面図解図および部分側面図解図であり、図１０、図１１および図１２はその綴じ具の展開した状態を示す斜視図、部分正面図解図および部分側面図解図である。
【００１０】
図１に示すリングファイル１０は、たとえばポリプロピレンなどの合成樹脂やたとえば厚紙などの紙からなる表紙１２を含む。表紙１２は、帯状の背表紙１２ａを含み、背表紙１２ａの幅方向における両端部には、表表紙１２ｂおよび裏表紙１２ｃが形成される。この表紙１２の背表紙１２ａの内面には、たとえばポリプロピレンなどの合成樹脂からなる綴じ具２０が取り付けられる。
【００１１】
綴じ具２０は、図１０に示すように、長手方向を有する本体２２を含む。本体２２は、断面略コ字状に形成される。すなわち、本体２２は、短冊状の底板２４を含み、底板２４の幅方向における両端部には、短冊状の側板２６ａおよび２６ｂが形成される。底板２４には、たとえば円形状の３つの取付用孔２４ａ、２４ａ、２４ａが長手方向に間隔を隔てて形成される。これらの取付用孔２４ａ、２４ａ、２４ａを利用して、綴じ具２０の本体２２は、表紙１２の背表紙１２ａにたとえばリベットなどの取付具（図示せず）で取り付けられる。側板２６ａおよび２６ｂは、図１１に示すように、底板２４側の両根元部間の間隔に比べて両先端部間の間隔が若干広がるように、若干斜めに形成される。この本体２２は、弾性を有し、側板２６ａおよび２６ｂの両先端部間の間隔を広げると元に戻ろうとする弾性力が働く。
【００１２】
本体２２の側板２６ａおよび２６ｂには、薄肉状のリング部材用ヒンジ部２８ａおよび２８ｂを介して、一対のリング部材３０ａおよび３０ｂが回動可能に接続される。
【００１３】
一方のリング部材３０ａは、短冊状のリング保持部３２ａを含む。リング保持部３２ａは、幅方向における一端部が、リング部材用ヒンジ部２８ａを介して、本体２２の側板２６ａの先端部に接続される。そのため、リング保持部３２ａは、幅方向における他端部および内側となる内面が本体２２の底板２４に近づいたり底板２４から遠ざかったりするように、本体２２に対して回動することができる。
【００１４】
同様に、他方のリング部材３０ｂも、短冊状のリング保持部３２ｂを含み、リング保持部３２ｂは、幅方向における一端部が、リング部材用ヒンジ部２８ｂを介して、本体２２の側板２６ｂの先端部に接続される。そのため、リング保持部３２ｂも、幅方向における他端部および内側となる内面が本体２２の底板２４に近づいたり底板２４から遠ざかったりするように、本体２２に対して回動することができる。
【００１５】
リング保持部３２ａおよび３２ｂは、図３に示すように、それらの幅方向における他端部がつき合わされる。リング保持部３２ａおよび３２ｂは、それらの幅方向における寸法が、本体２２の側板２６ａおよび２６ｂの両先端部間の寸法より若干長くなるように形成される。これは、リング保持部３２ａおよび３２ｂの幅方向における他端部をつき合わせてリング保持部３２ａおよび３２ｂを一平面状にした際に、両側の側板２６ａおよび２６ｂの両先端部間が広がって側板２６ａおよび２６ｂの両先端部からリング保持部３２ａおよび３２ｂに向かって弾性力が働くようにするためである。そのため、リング保持部３２ａおよび３２ｂは、それらの幅方向における他端部をつき合わせた際に、それらが一平面状となる状態に比べて、それらの幅方向における他端部が底板２４側に押し下げられた状態（図４参照）において、および、それらの幅方向における他端部が底板２４に対して押し上げられた状態（図８参照）において、それぞれ安定した状態となる。
【００１６】
リング保持部３２ａの幅方向における他端部側の内面には、その他端部から外側に突き出るように、４つの支持片３４ａ、３４ａ、・・が長手方向に間隔を隔てて形成される。同様に、リング保持部３２ｂの幅方向における他端部側の内面にも、その他端部から外側に突き出るように、４つの支持片３４ｂ、３４ｂ、・・が長手方向に間隔を隔てて形成される。これらの支持片３４ａおよび３４ｂは、リング保持部３２ａおよび３２ｂの幅方向における他端部をつき合わせた際に、リング保持部３２ａおよび３２ｂの幅方向における他端部側を軸として、リング保持部３２ａおよび３２ｂを互いに回動することができるように支持するためのものであり、図３、図４および図８に示すように、相手側となるリング保持部３２ｂおよび３２ａの幅方向における他端部の内面側に配置される。
【００１７】
リング保持部３２ａの外側となる外面には、図２、図７および図１０に示すように、たとえば２６個の円弧状のリング部３６ａ、３６ａ、・・が長手方向に間隔を隔てて形成される。同様に、リング保持部３２ｂの外側となる外面にも、たとえば２６個の円弧状のリング部３６ｂ、３６ｂ、・・が長手方向に間隔を隔てて形成される。これらのリング部３６ａおよび３６ｂは、つき合わされたリング保持部３２ａおよび３２ｂの幅方向における他端部を本体２２の底板２４に近づけた際に閉じ、逆に底板２４から遠ざけた際に開くように形成される。また、各リング部３６ａの先端には、穴３８ａと突起４０ａとが交互に形成され、各リング部３６ｂの先端には、リング部３６ａおよび３６ｂを閉じた際に穴３８ａに嵌り合う突起４０ｂと突起４０ａに嵌り合う穴３８ｂとが交互に形成される。なお、これらの突起４０ａおよび４０ｂのうちの一部のものは他のものより大きく形成され、大きく形成された突起４０ａおよび４０ｂに対応する位置の穴３８ａおよび３８ｂは他の穴３８ａおよび３８ｂより深く形成される。
【００１８】
一方のリング保持部３２ａの長手方向における両端部の外面には、互いに対称形状のロック用凹部４２ａ１および４２ａ２が形成される。
一方のロック用凹部４２ａ１は、後述の操作部材５２ａのロック片５８ａ１を挿入するための凹部であり、図６に示すように、リング保持部３２ａの長手方向における一端部に近づくに従って徐々に広がるテーパ状凹部４４ａと、テーパ状凹部４４ａから一定の幅に形成される直線状凹部４６ａとを有する。テーパ状凹部４４ａは、ロック片５８ａ１をロック用凹部４２ａ１に挿入しやすくするための凹部であり、直線状凹部４６ａは、ロック用凹部４２ａ１に挿入したロック片５８ａ１をロック用凹部４２ａ１から不用意に抜けにくくするための凹部である。
同様に、他方のロック用凹部４２ａ２は、後述の操作部材５２ｂのロック片５８ｂ１を挿入するための凹部であり、リング保持部３２ａの長手方向における他端部に近づくに従って徐々に広がるテーパ状凹部を有し、さらに、そのテーパ状凹部から一定の幅に形成される直線状凹部を有する。
【００１９】
他方のリング保持部３２ｂの長手方向における両端部の外面にも、操作部材５２ａのロック片５８ａ２が挿入され得るロック用凹部４２ｂ１と、操作部材５２ｂのロック片５８ｂ２が挿入され得るロック用凹部４２ｂ２とが形成される。ロック用凹部４２ａ１および４２ａ２と同様に、ロック用凹部４２ｂ１も、図６に示すように、テーパ状凹部４４ｂおよび直線状凹部４６ｂを有し、ロック用凹部４２ｂ２も、テーパ状凹部および直線状凹部を有する。
【００２０】
また、一方のリング保持部３２ａの幅方向における他端部には、図１０に示すように、たとえば半円形状の３つの切欠部４８ａ、４８ａ、４８ａが、本体２２の底板２４に形成した３つの取付用孔２４ａ、２４ａ、２４ａに対応するように、長手方向に間隔を隔てて形成される。同様に、他方のリング保持部３２ｂの幅方向における他端部にも、たとえば半円形状の３つの切欠部４８ｂ、４８ｂ、４８ｂが、３つの取付用孔２４ａ、２４ａ、２４ａに対応するように、長手方向に間隔を隔てて形成される。これらの切欠部４８ａおよび４８ｂは、綴じ具２０を表紙１２に取り付ける際や表紙１２から取り外す際に、取付用の治具や取外用の治具などを通すために用いられる。
【００２１】
本体２２の底板２４の長手方向における両端部には、薄肉状の操作部材用ヒンジ部５０ａおよび５０ｂを介して、一対の操作部材５２ａおよび５２ｂが回動可能に接続される。
【００２２】
一方の操作部材５２ａは、板状の操作片５４ａを含む。操作片５４ａは、一端部が、操作部材用ヒンジ部５０ａを介して、本体２２の底板２４の長手方向における一端部に接続される。そのため、操作片５４ａは、本体２２の底板２４に対して回動することができ、本体２２の側板２６ａおよび２６ｂから離れるように一方向に回動して底板２４に対して斜めに傾けたり、本体２２の側板２６ａおよび２６ｂに近づくように逆方向に回動して底板２４に対して直立させたりすることができる。
【００２３】
操作片５４ａの一端部には、本体２２の側板２６ａおよび２６ｂ側に、板状の持上片５６ａが形成される。持上片５６ａは、操作片５４ａに対して垂直に形成され、図５および図９に示すように、底板２４とリング保持部３２ａおよび３２ｂとの間に配置される。そのため、図７、図８および図９に示すように、操作片５４ａを一方向に回動して斜めに傾けることによって、つき合わされたリング保持部３２ａおよび３２ｂの幅方向における他端部を底板２４とは反対側に持上片５６ａで持ち上げて、リング部３６ａおよび３６ｂを開くことができる。この場合、特に図８に示すように、支持片３４ａおよび３４ｂの先端部が相手側のリング保持部３２ｂおよび３２ａの内面に当たるので、リング部３６ａおよび３６ｂは必要以上に開かない。
【００２４】
さらに、操作片５４ａの中間部には、本体２２の側板２６ａおよび２６ｂ側に、２つのロック片５８ａ１および５８ａ２が形成される。これらのロック片５８ａ１および５８ａ２は、リング部３６ａおよび３６ｂが閉じた状態でリング部材３０ａおよび３０ｂが動かないようにリング保持部３２ａおよび３２ｂをロックするためのものである。これらのロック片５８ａ１および５８ａ２は、幅方向に間隔を隔てて、操作片５４ａに対して垂直に形成され、図５および図９に示すように、リング保持部３２ａおよび３２ｂに形成されたロック用凹部４２ａ１および４２ｂ１の上側に配置される。
一方のロック片５８ａ１は、図６に示すように、ロック用凹部４２ａ１のテーパ状凹部４４ａおよび直線状凹部４６ａの形状に対応した形状のテーパ状部６０および直線状部６２を有する。テーパ状部６０は操作片５４ａに形成され、直線状部６２はテーパ状部６０に形成される。
同様に、他方のロック片５８ａ２は、ロック用凹部４２ｂ１のテーパ状凹部４４ｂおよび直線状凹部４６ｂに対応したテーパ状部６０および直線状部６２を有する。
そのため、図２、図４および図５に示すように、リング部３６ａおよび３６ｂが閉じた状態において、操作片５４ａを逆方向に回動して底板２４に対して直立させることによって、ロック片５８ａ１および５８ａ２は、リング保持部３２ａおよび３２ｂに形成されたロック用凹部４２ａ１および４２ｂ１に挿入され、それによって、リング部材３０ａおよび３０ｂが動かないようにリング部材３０ａおよび３０ｂをロックすることができる。
また、そのようにリング部材３０ａおよび３０ｂをロックした状態で、操作片５４ａを一方向に回動して斜めに傾けることによって、ロック片５８ａ１および５８ａ２は、ロック用凹部４２ａ１および４２ｂ１から外れ、それによって、リング部材３０ａおよび３０ｂのロック状態を解除することができる。
なお、リング部３６ａおよび３６ｂを閉じるためには、開いているリング部３６ａおよび３６ｂに両側から直接たとえば手で力を加えることによって、リング部３６ａおよび３６ｂを閉じるようにすればよいが、操作片５４ａを逆方向に回動して底板２４に対して直立させることによって、２つのロック片５８ａ１および５８ａ２で、つき合わされたリング保持部３２ａおよび３２ｂの幅方向における他端部を底板２４側に押し下げて、リング部３６ａおよび３６ｂを閉じることもできる。
【００２５】
他方の操作部材５２ｂも、一方の操作部材５２ａと同様の形状に形成され、板状の操作片５４ｂ、板状の持上片５６ｂおよび２つのロック片５８ｂ１および５８ｂ２を有する。なお、ロック片５８ｂ１および５８ｂ２も、ロック片５８ａ１および５８ａ２と同様に、テーパ状部および直線状部を有する。
この操作片５４ｂを一方向に回動して底板２４に対して斜めに傾けることによっても、つき合わされたリング保持部３２ａおよび３２ｂの幅方向における他端部を底板２４とは反対側に持上片５６ｂで持ち上げて、リング部３６ａおよび３６ｂを開くことができる。
また、この操作片５４ｂを逆方向に回動して底板２４に対して直立させることによっても、リング部３６ａおよび３６ｂが閉じた状態でリング部材３０ａおよび３０ｂをロックすることができ、逆に、この操作片５４ｂを一方向に回動して斜めに傾けることによっても、そのロック状態を解除することができる。
なお、リング部材３０ａおよび３０ｂのロック状態を完全に解除するためには、両側の操作部材５２ａおよび５２ｂの操作片５４ａおよび５４ｂを斜めに傾けることによって、両側のロック状態を解除する必要がある。
また、この操作片５４ｂを逆方向に回動して底板２４に対して直立させることによっても、２つのロック片５８ｂ１および５８ｂ２で、つき合わされたリング保持部３２ａおよび３２ｂの幅方向における他端部を底板２４側に押し下げて、リング部３６ａおよび３６ｂを閉じることができる。
【００２６】
次に、この綴じ具２０の製造工程について説明する。
【００２７】
まず、綴じ具２０全体が、たとえばポリプロピレンなどの合成樹脂で一体的に成形して形成される。この場合、本体２２の底板２４と操作部材５２ａおよび５２ｂの操作片５４ａおよび５４ｂとが平行になるとともに、リング部材３０ａおよび３０ｂがリング部３６ａおよび３６ｂの閉じた状態（図４参照）からそれぞれ１８０度開いた状態（図８参照）になるように、綴じ具２０全体が一体的に成形される。また、この場合、リング部材３０ａおよび３０ｂのリング保持部３２ａおよび３２ｂは、薄肉状のリング部材用ヒンジ部２８ａおよび２８ｂを介して、本体２２の側板２６ａおよび２６ｂに接続され、操作部材５２ａおよび５２ｂの操作片５４ａおよび５４ｂは、薄肉状の操作部材用ヒンジ部５０ａおよび５０ｂを介して、本体２２の底板２４に接続されている。さらに、この場合、ロック用凹部４２ａ１、４２ａ２、４２ｂ１および４２ｂ２は、内側面が本体２２の底板２４に対して垂直になるように形成される。
【００２８】
そして、リング部材３０ａおよび３０ｂと操作部材５２ａおよび５２ｂとが、本体２２の底板２４の上側に回動される。それによって、リング保持部３２ａおよび３２ｂの幅方向における他端部がつき合わされ、支持片３４ａおよび３４ｂが相手側のリング保持部３２ｂおよび３２ａの幅方向における他端部の内面側に配置される。さらに、操作部材５２ａおよび５２ｂの持上片５６ａおよび５６ｂが底板２４とリング保持部３２ｂおよび３２ａとの間に配置され、操作部材５２ａおよび５２ｂのロック片５８ａ１、５８ａ２、５８ｂ１および５８ｂ２がリング保持部３２ａおよび３２ｂに形成されたロック用凹部４２ａ１、４２ａ２、４２ｂ１および４２ｂ２上に配置される。このようにして綴じ具２０が製造される。
【００２９】
このように、綴じ具２０は、全体が合成樹脂で一体的に成形して形成されるため、成形部品の数が少なく、成形後に組み立てやすく、製造コストが安価になる。
【００３０】
さらに、この綴じ具２０では、本体２２の側板２６ａおよび２６ｂの両先端部間の間隔を広げると元に戻ろうとする弾性力が働き、この弾性力を利用するので、たとえば板ばねやコイルばねなどの他の部品が不要であり、この点においても、組み立てやすく、製造コストが安価になる。
【００３１】
また、この綴じ具２０では、図７に示すように、操作部材５２ａおよび５２ｂを一方向に回動して操作片５４ａおよび５４ｂを斜めに傾けることによって、リング部３６ａおよび３６ｂを開くことができ、リング部３６ａおよび３６ｂにたとえば綴じ孔を有する紙などを綴じ込んだり、綴じ込んだ綴じ孔を有する紙などをリング部３６ａおよび３６ｂから取り外したりすることができる。
【００３２】
さらに、この綴じ具２０では、図２に示すように、操作部材５２ａおよび５２ｂを逆方向に回動して操作片５４ａおよび５４ｂを直立させることによって、リング部３６ａおよび３６ｂを閉じた状態でリング部材３０ａおよび３０ｂをロックすることができる。
【００３３】
また、この綴じ具２０では、たとえば、ロック用凹部４２ａ１の端部側にテーパ状凹部４４ａを有し、ロック片５８ａ１の先端側に直線状部６２を有するので、綴じ具２０を製造する際に、ロック片５８ａ１の先端部をロック用凹部４２ａ１内に配置しやすい。これは、ロック用凹部４２ａ１およびロック片５８ａ１以外のロック用凹部およびロック片についても同様である。
【００３４】
さらに、この綴じ具２０では、たとえば、ロック用凹部４２ａ１が直線状凹部４６ａを有するとともに、ロック片５８ａ１が直線状部６２を有するので、それらを有しないものに比べて、リング部材３０ａおよび３０ｂのロック状態が不用意に解除されにくい。すなわち、直線状凹部４６ａおよび直線状部６２を有しないものでは、リング保持部３０ａおよび３０ｂのリング部３６ａおよび３６ｂを開こうとした場合、ある程度以上の力が加わるとロック用凹部４２ａ１のテーパ状凹部４４ａの斜面とロック片５８ａ１のテーパ状部６０の斜面とが互いに滑り合い、リング部３６ａおよび３６ｂが開いてしまう。それに対して、直線状凹部４６ａおよび直線状部６２を有すると、リング保持部３６ａおよび３６ｂを開こうとしても、ロック用凹部４２ａ１の直線状凹部４６ａの内面がロック片５８ａ１の直線状部６０に当たるので、リング保持部３０ａおよび３０ｂが開かない。これは、ロック用凹部４２ａ１およびロック片５８ａ１以外のロック用凹部およびロック片についても同様である。その結果、この綴じ具２０では、直立している操作片５４ａおよび５４ｂが不用意に斜めに傾きにくく、リング部材３０ａおよび３０ｂのロック状態が不用意に解除されにくい。
【００３５】
リング部材３０ａおよび３０ｂのロック状態が不用意に解除されることを防止するためには、たとえば、ロック用凹部４２ａ１およびロック片５８ａ１に直線状凹部４６ａおよび直線状部６２を形成する代わりに、図１３に示すように、テーパ状凹部４４ａを規定する斜面に半球状凹部４７ａが形成され、ロック片５８ａ１のテーパ状部６０の斜面に半球状凹部４７ａに対応する半球状凸部６３ａが形成されてもよい。なお、他のロック用凹部およびロック片についても同様である。このようにしても、リング部材３０ａおよび３０ｂのロック状態が不用意に解除されることを防止することができる。
【００３６】
また、リング部材３０ａおよび３０ｂのロック状態が不用意に解除されることを防止するためには、たとえば、図１４に示すように、ロック片５８ａ１の直線状部６２に山状爪部６３ｂが形成され、ロック用凹部４２ａ１の直線状凹部４６ａに山状爪部６３ｂに対応する谷状凹部４７ｂが形成されてもよい。なお、他のロック片およびロック用凹部についても同様である。このようにすれば、上述の場合に比べて、山状爪部６３ｂが谷状凹部４７ｂに引っ掛かるので、リング部材３０ａおよび３０ｂのロック状態が不用意に解除されることをさらに防止することができる。
【００３７】
なお、上述の例では、綴じ具２０が表紙１２の背表紙１２ａにリベットなどの取付具で取り付けられているが、綴じ具２０は他のものに取り付けられてもよい。また、綴じ具２０を取り付けるための取付具として、リベットの代わりに、たとえば、ビス、ボルト、ナット、鋲、接着剤などが用いられもよい。このように取付具として接着剤を用いれば、取付用孔２４ａは不要となる。
【００３８】
また、上述の綴じ具２０では、本体２２と、リング部材３０ａおよび３０ｂと、操作部材５２ａおよび５２ｂとが特定の形状や特定の数で形成されているが、それらは全体的にあるいは部分的に他の形状や他の数で形成されてもよい。たとえば、本体２２は、側板２６ａおよび２６ｂが傾斜せずに、断面コ字状に形成されてもよく、リング部材３０ａおよび３０ｂのリング部３６ａおよび３６ｂは、Ｄ形環状に閉じられるように直線状と半円形状というように異なった形状に形成されてもよく、操作部材５２ａおよび５２ｂの操作片５４ａ、５４ｂはブロック状に形成されてよい。また、たとえば、リング部３６ａおよび３６ｂはそれぞれ２６個以外の個数で形成さてもよく、操作部材は１個しか形成されなくてもよい。
【産業上の利用可能性】
【００３９】
この発明にかかる綴じ具は、たとえばリングファイル用の綴じ具に適用できる。
【図面の簡単な説明】
【００４０】
【図１】この発明が適用されるリングファイルの一例を示す斜視図である。
【図２】図１に示す綴じ具のリング部を閉じた状態を示す斜視図である。
【図３】図１に示す綴じ具のリング部を閉じた状態を示す部分底面図解図である。
【図４】図１に示す綴じ具のリング部を閉じた状態を示す部分正面図解図である。
【図５】図１に示す綴じ具のリング部を閉じた状態を示す部分側面図解図である。
【図６】図１に示す綴じ具のリング部を閉じた状態を示す部分平面図解図である。
【図７】図１に示す綴じ具のリング部を開いた状態を示す斜視図である。
【図８】図１に示す綴じ具のリング部を開いた状態を示す部分正面図解図である。
【図９】図１に示す綴じ具のリング部を開いた状態を示す部分側面図解図である。
【図１０】図１に示す綴じ具の展開した状態を示す斜視図である。
【図１１】図１に示す綴じ具の展開した状態を示す部分正面図解図である。
【図１２】図１に示す綴じ具の展開した状態を示す部分側面図解図である。
【図１３】ロック用凹部およびロック片の他の例を示す部分平面図解図である。
【図１４】ロック用凹部およびロック片のさらに他の例を示す部分平面図解図である。
【符号の説明】
【００４１】
１０  リングファイル
１２  表紙
１２ａ  背表紙
１２ｂ  表表紙
１２ｃ  裏表紙
２０  綴じ具
２２  本体
２４  底板
２４ａ    取付用孔
２６ａ、２６ｂ  側板
２８ａ、２８ｂ  リング部材用ヒンジ部
３０ａ、３０ｂ  リング部材
３２ａ、３２ｂ  リング保持部
３４ａ、３４ｂ  支持片
３６ａ、３６ｂ  リング部
３８ａ、３８ｂ  穴
４０ａ、４０ｂ  突起
４２ａ１、４２ａ２、４２ｂ１、４２ｂ２  ロック用凹部
４４ａ、４４ｂ  テーパ状凹部
４６ａ、４６ｂ  直線状凹部
４７ａ  半球状凹部
４７ｂ  谷状凹部
４８ａ、４８ｂ  切欠部
５０ａ、５０ｂ  操作部材用ヒンジ部
５２ａ、５２ｂ  操作部材
５４ａ、５４ｂ  操作片
５６ａ、５６ｂ  持上片
５８ａ１、５８ａ２、５８ｂ１、５８ｂ２  ロック片
６０  テーパ状部
６２  直線状部
６３ａ  半球状凸部
６３ｂ  山状爪部
【図１】
2006289866.tif 000003
【図２】
2006289866.tif 000004
【図３】
2006289866.tif 000005
【図４】
2006289866.tif 000006
【図５】
2006289866.tif 000007
【図６】
2006289866.tif 000008
【図７】
2006289866.tif 000009
【図８】
2006289866.tif 000010
【図９】
2006289866.tif 000011
【図１０】
2006289866.tif 000012
【図１１】
2006289866.tif 000013
【図１２】
2006289866.tif 000014
【図１３】
2006289866.tif 000015
【図１４】
2006289866.tif 000016